(57)【要約】【課題】少ない水量であっても吸水可能な循環式水冷却器及び、水槽の幅に合わせて設置でき、熱交換器を水槽上にバランス良く支えることのできる戴置台を備えた循環式水冷却器を提供する。【解決手段】循環式水冷却器は、水槽５内から吸水した水を熱交換器３により冷却して該水槽５内に戻す循環式水冷却器において、前記吸水のためのパイプ１３の長さが該水槽５の深さに応じて可変でき、循環式水冷却器は、該熱交換器３の外装の多面に外気通風口３２・３３・３４が備えられており、少なくとも一面の該外気通風口３４が邪魔板によって遮断されている。また、循環式水冷却器は、戴置台１が、伸縮部材に連結された対の折り曲げ体１８を囲む板部材２０であり、該対の折り曲げ体１８が該水槽５の一端から他端に掛け渡されている。【選択図】図１
2008275278.tif 000002
【特許請求の範囲】
【請求項１】
水槽内から吸水した水を熱交換器により冷却して該水槽内に戻す循環式水冷却器において、前記吸水のためのパイプの長さが該水槽の深さに応じて可変できることを特徴とする循環式水冷却器。
【請求項２】
該パイプが複数パイプの嵌め合せ、その嵌め合せの重なり部分にテーパースリーブを嵌め込んで漏れ止めとしたことを特徴とする請求項１に記載の循環式水冷却器。
【請求項３】
該パイプが複数パイプを螺合により連結していることを特徴とする請求項１に記載の循環式水冷却器。
【請求項４】
水槽内から吸水した水を熱交換器により冷却して該水槽内に戻す循環式水冷却器において、該熱交換器の外装の多面に外気通風口が備えられており、少なくとも一面の該外気通風口が邪魔板によって遮断されていることを特徴とする請求項１に記載の循環式水冷却器。
【請求項５】
水槽の戴置台上に熱交換器が配置される循環式水冷却器であって、該戴置台が、伸縮部材に連結された対の折り曲げ体を囲む板部材であり、該対の折り曲げ体が該水槽の一端から他端に掛け渡されていることを特徴とする循環式水冷却器。
【発明の詳細な説明】
【技術分野】
【０００１】
本発明は、水槽内の水を循環させ熱交換器により冷却させる冷却器に関するものである。
【背景技術】
【０００２】
祭り、コンサート、試合等のイベントでは、水槽に氷水を入れて缶入り飲料等を冷却している。しかし、氷が溶ける度に、新たに氷を投入しなければならないし、かさの増した分の水を排出しなければならず、非常に面倒である。
【０００３】
特許文献１には、冷却すべき物品が収納できる水槽に、該水槽内の水を循環冷却できる冷却器（チラー）を係止して組み合わせた冷水による物品冷却装置が示されている。この冷却装置は、新たに氷を投入する必要が無く、効率的である。しかし、この冷却装置では、水槽に十分な量の水が入っていないと、吸水ポンプの先端が水位よりも高いため、吸水できない。また、この冷却装置は、冷却器が水槽の一方に取付けられているため、水槽に十分な量の水が入っていないと、バランスが悪く、ひっくり返ってしまう。
【０００４】
【特許文献１】特開２００６−３４９２６４号公報
【発明の開示】
【発明が解決しようとする課題】
【０００５】
本発明は前記の課題を解決するためになされたもので、少ない水量であっても吸水可能な循環式水冷却器及び、水槽の幅に合わせて設置でき、熱交換器を水槽上にバランス良く支えることのできる戴置台を備えた循環式水冷却器を提供することを目的とする。
【課題を解決するための手段】
【０００６】
前記の目的を達成するためになされた、特許請求の範囲の請求項１に記載された循環式水冷却器は、水槽内から吸水した水を熱交換器により冷却して該水槽内に戻す循環式水冷却器において、前記吸水のためのパイプの長さが該水槽の深さに応じて可変できることを特徴とする。
【０００７】
請求項２に記載された循環式水冷却器は、請求項１に記載されたものであって、該パイプが複数パイプの嵌め合せ、その嵌め合せの重なり部分にテーパースリーブを嵌め込んで漏れ止めとしたことを特徴とする。
【０００８】
請求項３に記載された循環式水冷却器は、請求項１に記載されたものであって、該パイプが複数パイプを螺合により連結していることを特徴とする。
【０００９】
請求項４に記載された循環式水冷却器は、請求項１に記載されたものであって、水槽内から吸水した水を熱交換器により冷却して該水槽内に戻す循環式水冷却器において、該熱交換器の外装の多面に外気通風口が備えられており、少なくとも一面の該外気通風口が邪魔板によって遮断されていることを特徴とする。
【００１０】
請求項５に記載された循環式水冷却器は、水槽の戴置台上に熱交換器が配置される循環式水冷却器であって、該戴置台が、伸縮部材に連結された対の折り曲げ体を囲む板部材であり、該対の折り曲げ体が該水槽の一端から他端に掛け渡されていることを特徴とする。
【発明の効果】
【００１１】
本発明の循環式水冷却器は、吸水パイプの長さが可変できるため、水槽の深さに応じて水を吸水することができる。
【００１２】
また、循環式水冷却器は、熱交換器の外装の外気通風口を邪魔板によって遮断することにより、所定方向のお客側への外気の通風を防ぐことができる。
【００１３】
循環式水冷却器は、載置台が、その伸縮部材の伸縮により、水槽の幅に合わせて係止することができる。また、循環式水冷却器は、載置台が、その伸縮部材の復帰力により、折り曲げ体を水槽の縁に確りと固定することができる。したがって、循環式水冷却器は、水槽、載置台及びその上に載せられる熱交換器が、互いにバランス良く支えられる。
【発明を実施するための好ましい形態】
【００１４】
以下、本発明の実施例を詳細に説明するが、本発明の範囲はこれらの実施例に限定されるものではない。
【００１５】
本発明を適用する循環式水冷却器の一実施形態の斜視図が図１に示されている。図２は、その熱交換器の吸水パイプの要部断面図である。図３は、循環式水冷却器の熱交換器の要部断面図である。図４は、循環式水冷却器の載置台の側面図である。
【００１６】
図１に示すように、循環式水冷却器は、主に水槽５，載置台１及び熱交換器３からなる。水槽５の上には、載置台１が固定されている。その載置台１の上には、熱交換器３が配置されている。水槽内には水が溜められている。
【００１７】
熱交換器３は、前側面に操作パネル１０と、先端が下方を向いた吐水パイプ１２及び吸水パイプ１３とが備えられている。
【００１８】
吸水パイプ１３は、上部パイプ５１と下部パイプ５２とが嵌め合わされ、その重なり部分にテーパースリーブ５３が嵌め込まれて構成されている（図２参照）。また、吸水パイプ１３は、先端に複数の吸水穴１５を有する。吸水穴１５は、吸水パイプ１３の空洞部と連通している。
【００１９】
また、熱交換器３は、後側面に外気吸込口３１を備え、上面及び左右側面にそれぞれ外気通風口３３，３２及び３４を備えている。
【００２０】
図３（ａ）に示すように、熱交換器３は、外装の内側に邪魔板２７を備えている。邪魔板２７は、側面に露出したスライドレバー１９を備えている。また、邪魔板２７は、外気通風口３４と連通した外気通風口２４を備えている。
【００２１】
また、熱交換器３は外部電源（不図示）に接続されている。
【００２２】
図４に示すように、載置台１は、筒状板２０の筒中で、二枚の折り曲げ体１８が伸縮部材であるコイルバネ１４によって連結されて構成されている。
【００２３】
この循環式水冷却器の設置方法を、図１，図２及び図４を参照して説明する。
【００２４】
図４に示すように、載置台１の一方の折り曲げ体１８を水槽５の一端の縁に引き掛ける。そして、他方の折り曲げ体１８を引いてコイルバネ１４を伸ばし、水槽５の他端の縁に架け渡す。すると、載置台１は、矢印の方向にコイルバネ１４の復帰力がかかり、水槽５に確りと固定される。
【００２５】
図１に示すように、載置台１の上に熱交換器３を配置し、外部電源に接続する（不図示）。
【００２６】
図２に示すように、吸水パイプ１３の下部パイプ５２を、吸水穴１５が水槽内の水に十分浸かるまで、矢印の方向に引き伸ばす。吸水パイプ１３は、上部パイプ５１と下部パイプ５２との重なり部分がテーパースリーブ５３によって確りと締め付けられているので、引き伸ばしによって水が漏れる心配が無い。
【００２７】
この循環式水冷却器の使用方法を、図１及び図３を参照して説明する。
【００２８】
図１に示すように、操作パネル１０を操作し、熱交換器３を稼動させる。これにより、熱交換器３は、水槽内の水を、吸水穴１５から吸水パイプ１３を介して取り込む。熱交換器３は、取り込んだ水を冷却し、吐水パイプ１２より水槽５に吐出する。これにより、水槽５内の水温が低下する。
【００２９】
上記の流れを繰り返すことにより、循環式水冷却器は水槽５内の水を所定の水温まで冷却する。
【００３０】
また、熱交換器３は、外気吸込口３１から外気３０を取り入れ、熱交換器３内で発生した熱とともに外気４０を外気通風口３２，３３及び３４より通風する。
【００３１】
この循環式水冷却器の熱交換器３の外気通風の禁止方法を説明する。
【００３２】
図３（ａ）に示すように、邪魔板２７のスライドレバー１９を矢印の方向にスライドさせる。すると、図３（ｂ）に示すように、熱交換器３の外気通風口３４が邪魔板２７によって遮断される。したがって、熱交換器３は、右側面の外気通風口３４から外部への外気４０の通風が禁止される。
【００３３】
図５に、本発明を適用する別な循環式水冷却器の熱交換器の要部斜視図が示されている。熱交換器３は、外気通風口３３及び外気通風口３４の周囲に、ネジ穴３７が備えられている。邪魔板２５は、ネジ穴３７と一致する箇所にネジ穴３６が備えられている。熱交換器３は、ネジ穴３７及びネジ穴３６がネジ２６によって螺合されることにより、邪魔板２５と固定され、上面の外気通風口３３及び右側面の外気通風口３４が遮断されていてもよい。これにより、熱交換器３は、上面及び右側面において外部への外気４０の通風が禁止される。
【００３４】
図６に、本発明を適用する別な循環式水冷却器の熱交換器の吸水パイプの要部断面図が示されている。吸水パイプ１３は、雄ねじパイプ５４と雌ねじパイプ５５とが螺合により連結されて構成されていてもよい。
【００３５】
図７に、本発明を適用する別な循環式水冷却器の載置台の側面図が示されている。載置台１は、平面板２１と両端の折り曲げ体１８との間に伸縮部材であるベローズ１６が連結されて構成されていてもよい。この場合、ベローズ１６は、熱交換器３の重さに相当する力が上方向からかけられても、撓まない十分な耐久性を有している必要がある。
【図面の簡単な説明】
【００３６】
【図１】本発明を適用する循環式水冷却器を示す斜視図である。
【図２】本発明を適用する循環式水冷却器の熱交換器の吸水パイプを示す要部断面図である。
【図３】本発明を適用する循環式水冷却器の熱交換器を示す要部断面図である。
【図４】本発明を適用する循環式水冷却器の載置台を示す側面図である。
【図５】本発明を適用する循環式水冷却器の熱交換器を示す要部斜視図である。
【図６】本発明を適用する別な循環式水冷却器の熱交換器の吸水パイプを示す要部断面図である。
【図７】本発明を適用する別な循環式水冷却器の載置台を示す側面図である。
【符号の説明】
【００３７】
１は載置台、３は熱交換器、５は水槽、１０は操作パネル、１２は吐水パイプ、１３は吸水パイプ、１４はコイルバネ、１５は吸水穴、１６はベローズ、１８は折り曲げ体、１９はスライドレバー、２０は筒状板、２１は平面板、２４は外気通風口、２５は邪魔板、２６はネジ、２７は邪魔板、３０は外気、３１は外気吸込口、３２は外気通風口、３３は外気通風口、３４は外気通風口、３６はネジ穴、３７はネジ穴、４０は外気、５１は上部パイプ、５２は下部パイプ、５３はテーパースリーブ、５４は雄ねじパイプ、５５は雌ねじパイプである。
【図１】
2008275278.tif 000003
【図２】
2008275278.tif 000004
【図３】
2008275278.tif 000005
【図４】
2008275278.tif 000006
【図５】
2008275278.tif 000007
【図６】
2008275278.tif 000008
【図７】
2008275278.tif 000009